(57)【要約】【課題】被記録体の立体情報を正確に記録し、より実物らしく見せる立体画像記録体を提供する。【解決手段】単位線状画像記録部Ｍ１〜Ｍ８の分割記録部に、異なる方向Ａ〜Ｅからの複数の平行投影画像を短冊状に分割した線状画像を順次分割記録し、かつ、各単位線状画像記録部Ｍ１〜Ｍ８に対応する各単位レンチキュラレンズＬ１〜Ｌ８のレンズ幅に対して同一位置に配置された各分割記録部に、同一方向からの平行投影画像を分割した線状画像を順次分割記録し、そして、複数の平行投影画像の線状画像を合成して立体画像を再現した。【選択図】図４
2007147737.tif 000002
【特許請求の範囲】
【請求項１】
単位レンチキュラレンズを、複数配列したレンチキュラシートと、
前記各単位レンチキュラレンズの裏面にそれぞれ設けられた単位線状画像記録部を、前記レンチキュラシート全面の裏面に複数配列した線状画像記録体とを備え、
前記単位線状画像記録部は、記録部を分割して設けられた分割記録部を有し、前記分割記録部に、異なる方向からの複数の平行投影画像又は所定方向にのみ平行射影した二次元画像である指向性画像を短冊状に分割した線状画像が、順次分割記録され、
前記線状画像記録体は、前記各単位線状画像記録部に対応する前記各単位レンチキュラレンズのレンズ幅に対して同一位置に配置された前記各分割記録部に、同一方向からの前記平行投影画像又は前記指向性画像を分割した前記線状画像が、順次分割記録され、
観察位置から複数の前記平行投影画像又は前記指向性画像の前記線状画像が合成され、立体画像が得られること、
を特徴とする立体画像記録体。
【請求項２】
請求項１に記載の立体画像記録体において、
前記単位線状画像記録部は、対応する前記各単位レンチキュラレンズのレンズ中央部から端部に至るに従って、正面方向からの視差角度を順次大きくした前記平行投影画像又は前記指向性画像をそれぞれ分割した前記線状画像が、順次分割記録されること、
を特徴とする立体画像記録体。
【請求項３】
請求項２に記載の立体画像記録体において、
前記線状画像記録体は、前記線状画像記録体の中央部から端部に至るに従って、前記各単位線状画像記録部に対応する前記各単位レンチキュラレンズのレンズ幅に対して同一位置に配置された前記各分割記録部に、同一方向からの前記平行投影画像又は前記指向性画像を、前記平行投影画像又は前記指向性画像の中央部から端部に分割した線状画像が、順次分割記録されること、
を特徴とする立体画像記録体。
【請求項４】
請求項３に記載の立体画像記録体において、
前記単位線状画像記録部は、前記単位レンチキュラレンズを通して観察位置へと進む光線が、前記観察位置の範囲を満足する観察記録範囲に設けられ、前記観察記録範囲と、この前記単位線状画像記録部の隣に配置された前記単位レンチキュラレンズのレンズ幅内の記録範囲とが重複する範囲の前記分割記録部においては、視差角度がより大きい前記平行投影画像又は前記指向性画像を分割した前記線状画像が、順次分割記録されていること、
を特徴とする立体画像記録体。
【請求項５】
請求項３又は請求項４に記載の立体画像記録体において、
前記各単位線状画像記録部は、前記観察位置及び前記単位レンチキュラレンズの両端部を結んだ直線と、前記線状画像記録体とが交差する範囲内に設けられていること、
を特徴とする立体画像記録体。
【発明の詳細な説明】
【技術分野】
【０００１】
本発明は、レンチキュラシートを用いた立体画像記録体に関するものである。
【背景技術】
【０００２】
従来からレンチキュラレンズと、この下に視差画像を印刷した線状画像を配置して立体視させる立体印刷物があった。
しかし、従来の一般的な立体印刷物は、図１０に示すように、レンチキュラレンズと印刷面の幅と位置とが一致していた。このため、正面から観察するレンズはよいが、立体印刷物の端部等、観察位置から角度がつくようなレンズは、隣のレンズの視差画像が見えてしまうため、画像が重なったり、ちらついて見えたりする問題があった。
また、従来の立体印刷物は、一般的なカメラで撮影した画像（透視投影画像）を視差画像に利用し、実際に撮影した画像を見せるという理論に基づいているので、立体形状を正確に印刷面上に記録するものではなかった。
【０００３】
特許文献１には、各レンチキュラレンズに対応して記録されるｎ番目の原画像の全ての線状画像が、特定の位置に予定される鑑賞位置において同じ領域内に来るような線状画像記録位置を、ｎ番目の原画像の全ての線状画像についてレンチキュラレンズ毎に計算し、その計算結果に基づいて画像形成手段への線状画像記録位置を決定する立体画像記録方法及び立体画像記録装置が開示されている。この立体画像記録装置等によれば、端部等においても、隣のレンズの視差画像が見えることを防止できる。
しかし、この装置等によっても記録位置、鑑賞位置（観察位置）等の多少のずれによって、やはり、意図しない隣の線状画像が見えてしまう場合があるという問題がある。また、この立体画像記録装置等は、従来と同様に、撮影した画像を見せるという理論であり、意図しない線状画像が見えてしまうことにより、正確に被記録体を再現できず、違和感のある映像が観察されてしまうという問題がある。さらに、線状画像記録位置の算出に手間がかかるという問題がある。
【特許文献１】特開平５−２８９２０８号公報
【発明の開示】
【発明が解決しようとする課題】
【０００４】
本発明の課題は、被記録体の立体情報を正確に記録し、より実物らしく見せる立体画像記録体を提供することである。
【課題を解決するための手段】
【０００５】
前記課題を解決するために、請求項１の発明は、単位レンチキュラレンズ（Ｌ０〜Ｌ９）を、複数配列したレンチキュラシート（Ｌ，２Ｌ）と、前記各単位レンチキュラレンズ（Ｌ０〜Ｌ９）の裏面にそれぞれ設けられた単位線状画像記録部（Ｍ１〜Ｍ８，２Ｍ０〜２Ｍ９）を、前記レンチキュラシート（Ｌ，２Ｌ）全面の裏面に複数配列した線状画像記録体（Ｍ，２Ｍ）とを備え、前記単位線状画像記録部（Ｍ１〜Ｍ８，２Ｍ０〜２Ｍ９）は、記録部を分割して設けられた分割記録部を有し、前記分割記録部に、異なる方向からの複数の平行投影画像又は所定方向にのみ平行射影した二次元画像である指向性画像を短冊状に分割した線状画像（Ａ１〜Ｅ１等）が、順次分割記録され、前記線状画像記録体（Ｍ，２Ｍ）は、前記各単位線状画像記録部に対応する前記各単位レンチキュラレンズのレンズ幅に対して同一位置に配置された前記各分割記録部（Ｍ１〜Ｍ８，２Ｍ０〜２Ｍ９）に、同一方向からの前記平行投影画像又は前記指向性画像を分割した前記線状画像（Ａ１〜Ａ８等）が、順次分割記録され、観察位置から複数の前記平行投影画像又は前記指向性画像の前記線状画像が合成され、立体画像が得られること、を特徴とする立体画像記録体である。
【０００６】
請求項２の発明は、請求項１に記載の立体画像記録体において、前記単位線状画像記録部（Ｍ１〜Ｍ８，２Ｍ０〜２Ｍ９）は、対応する前記各単位レンチキュラレンズ（Ｌ０〜Ｌ９）のレンズ中央部から端部に至るに従って、正面方向からの視差角度を順次大きくした前記平行投影画像又は前記指向性画像をそれぞれ分割した前記線状画像（Ａ１〜Ｅ１等）が、順次分割記録されること、を特徴とする立体画像記録体である。
請求項３の発明は、請求項２に記載の立体画像記録体において、前記線状画像記録体（Ｍ，２Ｍ）は、前記線状画像記録体（Ｍ，２Ｍ）の中央部から端部に至るに従って、前記各単位線状画像記録部（Ｍ１〜Ｍ８，２Ｍ０〜２Ｍ９）に対応する前記各単位レンチキュラレンズ（Ｌ０〜Ｌ９）のレンズ幅に対して同一位置に配置された前記各分割記録部に、同一方向からの前記平行投影画像又は前記指向性画像を前記平行投影画像又は前記指向性画像の中央部から端部に分割した線状画像（Ａ１〜Ａ８等）が、順次分割記録されること、を特徴とする立体画像記録体である。
請求項４の発明は、請求項３に記載の立体画像記録体において、前記単位線状画像記録部（２Ｍ０〜２Ｍ９）は、前記単位レンチキュラレンズ（Ｌ０〜Ｌ９）を通して観察位置へと進む光線が、前記観察位置の範囲を満足する観察記録範囲（Ｄ２等）に設けられ、前記観察記録範囲（Ｄ２等）と、この前記単位線状画像記録部の隣に配置された前記単位レンチキュラレンズ（２Ｍ０等）のレンズ幅内の記録範囲とが重複する範囲の前記分割記録部においては、視差角度がより大きい前記平行投影画像又は前記指向性画像を分割した前記線状画像（Ｚ１，Ｙ１，Ｘ１等）が、順次分割記録されていること、を特徴とする立体画像記録体である。
請求項５の発明は、請求項３又は請求項４に記載の立体画像記録体において、前記各単位線状画像記録部（Ｍ１〜Ｍ８，２Ｍ０〜２Ｍ９）は、前記観察位置及び前記単位レンチキュラレンズ（Ｌ０〜Ｌ９）の両端部を結んだ直線と、前記線状画像記録体（２Ｍ）とが交差する範囲内に設けられていること、を特徴とする立体画像記録体である。
【発明の効果】
【０００７】
本発明によれば、以下の効果を奏することができる。
（１）本発明は、線状画像記録体が被記録体の平行投影画像又は指向性画像の線状画像を分割記録しているので、被記録体の立体情報をより正確に印刷することができ、また、複数の平行投影画像又は指向性画像の線状画像を合成して立体画像が得られるので、被記録体をより忠実に、実物らしく再現することができる。
【０００８】
（２）本発明は、単位線状画像記録部が、この単位線状画像記録部に対応する各単位レンチキュラレンズのレンズ中央部から端部に至るに従って、正面方向からの視差角度を順次大きくした平行投影画像又は指向性画像をそれぞれ分割した線状画像を、順次分割記録する。すなわち単位レンチキュラレンズと観察位置との位置関係ではなく、単位線状画像記録部の各単位レンチキュラレンズのレンズ中央部に正面方向からの線状画像を記録し、レンズ端部に至るに従って、視差角度を順次大きくした線状画像を記録する。これにより、煩雑な計算をすることなく、被記録体の各方向から立体情報を記録することができる。
【０００９】
（３）本発明は、線状画像記録体の中央部から端部に至るに従って、各単位線状画像記録部に対応する各単位レンチキュラレンズのレンズ幅に対して同一位置に配置された各分割記録部に、同一方向からの平行投影画像又は指向性画像を平行投影画像又は指向性画像の中央部から端部に分割した線状画像が、順次分割記録されるので、この方向（同一方向）からの被記録体の立体情報を分割して、各線状画像記録部に分割記録することができる。
【００１０】
（４）本発明は、単位線状画像記録部が、隣に配置された単位レンチキュラレンズのレンズ幅内の範囲にまで設けられ、この範囲に、視差角度がより大きい平行投影画像又は指向性画像を分割した線状画像が順次分割記録されている。これにより、観察位置から各単位線状画像記録部の隣の単位レンチキュラレンズの真裏の記録部が観察されてしまう場合でも、そこには、視差角度をより大きくした線状画像が記録されているので、ちらつき等を防止して、より自然に被記録体を表現することができる。
【００１１】
（５）本発明は、各単位線状画像記録部が、観察位置及び単位レンチキュラレンズの両端部を結んだ直線と、線状画像記録体とが交差する範囲内に設けられているので、例えば、シート端に配置された単位線状画像記録部も正しい光線情報を表現することができる。
【発明を実施するための最良の形態】
【００１２】
本発明は、被記録体の立体情報を正確に記録し、より実物らしく見せる立体画像記録体を提供するという目的を、単位線状画像記録部の分割記録部に、異なる方向からの複数の平行投影画像を短冊状に分割した線状画像を順次分割記録し、また、各単位線状画像記録部に対応する各単位レンチキュラレンズのレンズ幅に対して同一位置に配置された各分割記録部に、同一方向からの平行投影画像又は指向性画像を分割した線状画像を順次分割記録し、そして、複数の平行投影画像の線状画像を合成して立体画像を表現することによって実現した。
【実施例１】
【００１３】
以下、図面等を参照して、本発明の立体印刷物（立体画像記録体）の実施例１をあげて、さらに詳しく説明する。
最初に本発明の立体印刷物１の特性等について説明する。
図１、図２は、本発明の立体印刷物１を説明するための図である。
図１（ａ）に示すように、立体印刷物１は、レンチキュラシートＬと、線状画像記録体Ｍとを備えている。
レンチキュラシートＬは、同一の形状である複数の単位レンチキュラレンズＬ１〜Ｌ８が配列されている。
線状画像記録体Ｍは、レンチキュラシートＬ全面の裏面に設けられており、単位線状画像記録部Ｍ１〜Ｍ８が配列されている。線状画像記録体Ｍは、光線情報が印刷によって記録されている。これら単位線状画像記録部Ｍ１〜Ｍ８は、単位レンチキュラレンズＬ１〜Ｌ８の裏面にそれぞれ設けられている。
【００１４】
各単位線状画像記録部Ｍ１〜Ｍ８は、各単位レンチキュラレンズＬ１〜Ｌ８に対する位置が同一である印刷位置Ｑ１〜Ｑ８に、図１（ｂ）に示す立方体の被記録体Ｏにおける左斜め上側からの位置Ｐ１〜Ｐ８の平行投影画像の光線情報（立体情報）が記録されている。各単位線状画像記録部Ｍ１〜Ｍ８の印刷位置Ｑ１〜Ｑ８から単位レンチキュラレンズＬ１〜Ｌ８を介して進む光線は、単位レンチキュラレンズＬ１〜Ｌ８が同一形状であるため、全て進む方向が一定である。従って、各単位線状画像記録部Ｍ１〜Ｍ８は、印刷位置Ｑ１〜Ｑ８に、この方向からの被記録体位置Ｐ１〜Ｐ８の平行投影画像の光線情報を印刷することにより、正確な立体情報を記録し、また、実物と同じ立体情報を再現することができる。
なお、単位レンチキュラレンズＬ１〜Ｌ８の表面から入出する光線は、実際には屈折するが、本実施例では、簡略して直進したものとして示す。
【００１５】
図２に示すように、各単位線状画像記録部Ｍ１〜Ｍ８の中心位置Ｃ１〜Ｃ８は、正面方向から平行投影画像の光線情報が記録され、単位レンチキュラレンズＬ１〜Ｌ８を介して進む光線が、全て正面方向へと進んでいる。
このように、立体印刷物１は、左斜め上側及び正面方向からの平行投影画像の光線情報を記録することにより、これらの方向からの被記録体Ｏの正確な立体情報を記録し、また、実物と同じ立体情報を再現することができる。
【００１６】
次に、立体印刷物１の構成の詳細について説明する。
図３（ａ）は、被記録体Ｏの異なる５方向（方向Ａ〜Ｅ）からの平行投影画像を示す図であり、図３（ｂ）は、立体印刷物１の断面を示す図である。
図３（ａ）において、方向Ｃは、被記録物Ｏの正面上側方向であり、方向Ｂ及びＤは、方向Ｃの左側及び右側の方向であり、方向Ａ及びＥは、よりさらに左側及び右側の方向である。図中に示すように、方向Ａ〜方向Ｅの平行投影画像は、線状画像Ａ１〜Ａ８、・・・、線状画像Ｅ１〜Ｅ８に、それぞれ短冊状に８分割されている。
【００１７】
図３（ｂ）に示すように、単位線状画像記録部Ｍ１〜Ｍ８は、それぞれ記録部を５分割して設けられた分割記録部を有している。
単位線状画像記録部Ｍ１は、対応する各単位レンチキュラレンズＬ１のレンズ中央部の分割記録部に、正面方向Ｃからの平行投影画像を分割した線状画像Ｃ１が分割記録されている。そして、単位線状画像記録部Ｍ１に対応する単位レンチキュラレンズＬ１のレンズ中央部からレンズ左端部の分割記録部に至るに従って、正面方向Ｃからの視差角度を順次大きくした方向Ｂ，Ａの平行投影画像をそれぞれ分割した線状画像Ｂ１，Ａ１が、順次分割記録される。同様に、レンズ中央部からレンズ右端部に至るに従って、正面方向Ｃからの視差角度を順次大きくした線状画像Ｄ１，Ｅ１が、順次分割記録される。
同様に、単位線状画像記録部Ｍ２〜Ｍ８は、それぞれ分割記録部に、線状画像Ａ２〜Ｅ２，・・・，Ａ８〜Ｅ８が記録される。
【００１８】
以上のように記録することにより、線状画像記録体Ｍは、線状画像記録体Ｍの中央部から端部に至るに従って、各単位線状画像記録部Ｍ１〜Ｍ８に対応する各単位レンチキュラレンズＬ１〜Ｌ８のレンズ幅に対して同一位置に配置された各分割記録部に、同一方向からの平行投影画像を平行投影画像の中央部から端部に分割した線状画像が、順次分割記録される。すなわち、例えば、単位線状画像記録部Ｍ４〜Ｍ１のレンズ中央部（同一位置）の分割記録部に、同一方向である正面方向Ｃの平行投影画像の中央部から端部に分割した線状画像Ｃ４〜Ｃ１がそれぞれ分割記録される。同様に、レンズ左端部の各分割記録部（同一位置）に、左方向への視差角度が一番大きい方向Ａからの平行投影画像の中央部から端部に分割した線状画像Ａ４〜Ａ１が分割記録される。
また、各単位レンチキュラレンズＭ１〜Ｍ８から発せられる光線は、実物と同じ光線情報となり、観察位置に届く。例えば、単位線状画像記録部Ｍ３の記録された情報は、単位レンチキュラレンズＬ３を介して、図示のように各方向に光線が進むことにより、実物と同じ形状が光線情報として再現される。
なお、平行投影画像の方向及び分割記録部の数は、簡略して５方向及び５分割としたが、これに限定されず、単位レンチキュラレンズ、被記録体の大きさに応じて、適宜変更可能である。
また、本実施例では、単位レンチキュラレンズの記録部が５分割された例を示したが、偶数個に分割された場合は、レンズ中央部である２つの分割記録部に、真正面からの平行投影画像ではなく、真正面よりも左側及び右側に視差角度がある平行投影画像の線状画像が記録される。
【００１９】
図４は、立体印刷物１を、中央の観察位置Ｖから観察する状態を示す図である。
単位線状画像記録部Ｍ２，Ｍ３，Ｍ６，Ｍ７の線状画像Ａ２，Ｂ３，Ｄ６，Ｅ７の立体情報は、それぞれ単位レンチキュラレンズＬ２，Ｌ３，Ｌ６，Ｌ７を介して、観察位置Ｖへと光線が進むことにより、光線情報として再現される。線状画像記録体Ｍの中央部である単位線状画像記録部Ｍ４は、線状画像Ｂ４又はＣ４の情報が、観察位置で再現され、同様に、線状画像記録体Ｍの中央部である単位線状画像記録部Ｍ５は、線状画像Ｃ５又はＤ５の情報が再現される。また、単位レンチキュラレンズＬ１，Ｌ８を介する光線は、線状画像記録体Ｍの外側からの光線であるので、観察位置Ｖでは観察されない。（なお、「線状画像記録体Ｍの中央部」は、線状画像記録体Ｍの中央及びその周辺を、意味する。）。
【００２０】
このように、立体印刷物１は、レンチキュラシートＬ及び線状画像記録体Ｍによって被記録体Ｏの平行投影画像の線状画像を光線情報として再現することにより、図４（ｃ）に示すように観察位置Ｖにおいて、光線情報が組み合わせられ透視投影画像のように再現することができる。これは、実際の光線情報が、レンチキュラシートＬ及び線状画像記録体Ｍによって立体印刷物１上に再現されていることと同じである。
なお、線状画像記録体Ｍの中央部に配置された単位線状画像記録部Ｍ４は、観察位置Ｖからは、観察位置の微小なずれによって、線状画像Ｂ４，Ｃ４の内、どちらかが観察され、同様に、線状画像記録体Ｍの中央部に配置された単位線状画像記録部Ｍ５は、線状画像Ｃ５，Ｄ５の内、どちらかが観察される。この場合でも、立体印刷物１は、異なる平行投影画像の線状画像を組み合わせて、被記録体Ｏを再現しているので、ちらつきやブレを少なくして、より自然に被記録物Ｏを再現することができる。すなわち、複数の画像を分割して記録し、その内の１つ画像を組みあわせて再現する場合、隣に記録された画像情報が観察されてしまうときには、意図する情報と異なるため、違和感のある画像が再現されてしまう。しかし、立体印刷物１は、異なる方向からの平行投影画像の線状画像を組み合わせて、透視投影画像のように再現しているので、隣り合った光線情報の繋がりをより滑らかにして、このようなちらつき等を防止することができる。
【００２１】
以上説明したように、本実施例の立体印刷物１は、単位線状画像記録部Ｍ１〜Ｍ８が、記録部を分割して設けられた分割記録部を有し、分割記録部に、異なる方向Ａ〜Ｅからの複数の平行投影画像を短冊状に分割した線状画像Ａ１〜Ｅ１等を、順次分割記録しているので、被記録体Ｏの立体情報をより正確に記録することができる。また、線状画像記録体Ｍが、各単位線状画像記録部Ｍ１〜Ｍ８に対応する各単位レンチキュラレンズＬ１〜Ｌ８のレンズ幅に対して同一位置に配置された各分割記録部に、同一方向からの平行投影画像を分割した線状画像を順次分割記録しているので、複数の平行投影画像の線状画像を合成した立体画像が得られ、被記録体Ｏをより忠実に再現することができる。
【００２２】
また、単位線状画像記録部（Ｍ１等）は、単位レンチキュラレンズ（Ｌ１等）のレンズ中央部からレンズ端部に至るに従って、正面方向Ｃからの視差角度を順次大きくした平行投影画像をそれぞれ分割した線状画像（Ｂ１，Ａ１及びＤ１，Ｅ１等）が、順次分割記録される。
すなわち、各単位線状画像記録部Ｍ１〜Ｍ８は、対応する各単位レンチキュラレンズＬ１〜Ｌ８のレンズ中央部に正面方向からの線状画像を記録し、レンズ端部に至るに従って、視差角度を順次大きくした線状画像を記録すればよいので、煩雑な計算をすることなく、被記録体Ｏの各方向から立体情報を記録することができる。
【００２３】
さらに、線状画像記録体Ｍの中央部から端部に至るに従って、単位線状画像記録部Ｍ１〜Ｍ８に対応する単位レンチキュラレンズＬ１〜Ｌ８のレンズ幅に対して同一位置に配置された各分割記録部に、同一方向からの平行投影画像を平行投影画像の中央部から端部に分割した線状画像が、順次分割記録されるので、この方向からの被記録体Ｏの立体情報を分割して、各単位線状画像記録部Ｍ１〜Ｍ８に分割記録することができる。
【実施例２】
【００２４】
次に、本発明を適用した立体印刷物（立体画像記録体）の実施例２について説明する。
実施例２の立体印刷物２は、各単位レンチキュラレンズの分割記録部を、隣に配置された単位レンチキュラレンズの真裏にまで、拡大したものである。
なお、以下の説明において、前述した実施例１と同様の機能を果たす部分には、同一の名称を付して、重複する説明を適宜省略する。
最初に、本実施例で用いる平行投影画像及び線状画像について説明する。
図５は、被記録体Ｏの平行投影画像の投影方向を示す図であり、図６は、作製された平行投影画像を示す図である。
図５に示すように、本実施例の立体印刷物２は、平行投影画像として、実施例１の５方向（方向Ａ〜Ｅ）に、この５方向よりもより視差角度が大きい８方向（方向Ｚ〜Ｗ及びＦ〜Ｉ）を加えた合計１３方向の画像を用いる。各平行投影画像は、被記録体Ｏの斜め上側であって、所定の位置を中心として一定の回転半径で一定角度の回転させた位置から作製する。作製方法は、平行投影画像を撮影する所定の方法、コンピュータグラフィックスを用いた方法等があげられるが、コンピュータグラフィックスを用いた方がより簡便に平行投影画像を作製することができる。
そして、図６に示すように、作製された１３方向に平行投影画像が、それぞれ短冊状に１０分割され、線状画像Ｗ０〜Ｗ９、・・・、線状画像Ｉ０〜Ｉ９が作製される。
【００２５】
図７は、立体印刷物２の断面を示す図である。
図７に示すように、立体印刷物２の単位線状画像記録部２Ｍ０〜２Ｍ９は、観察位置であるレンズシート２Ｌ中央から各単位レンチキュラレンズＬ０〜Ｌ９の両端部に直線を延ばし、線状画像記録体２Ｍと交わる範囲を記録部とし、隣の単位レンチキュラレンズの下層部も記録部としている。すなわち、各単位線状画像記録部２Ｍ０〜２Ｍ９は、各単位レンチキュラレンズＬ０〜Ｌ９を通して観察位置へと進む光線が、観察位置の範囲を満足する記録部（観察記録範囲）に設けられている。そして、観察記録範囲と、隣に配置された単位レンチキュラレンズのレンズ幅Ｒ０内の記録範囲とが重複する範囲の分割記録部においては、視差角度がより大きい平行投影画像を分割した線状画像が、順次分割記録されている。
【００２６】
例えば、中央部の単位レンチキュラレンズＬ４又はＬ５は、５視差分の線状画像に、左側の視差画像Ｚ４又は右側の視差画像Ｆ５がそれぞれ加えられている。
また、単位線状画像記録部２Ｍ１は、観察記録範囲Ｄ２と、左隣に配置された単位レンチキュラレンズＬ０のレンズ幅内の記録範囲とが重複する範囲の分割記録部においては、線状画像Ａ１よりも視差角度がより大きい平行投影画像を分割した線状画像Ｚ１，Ｙ１，Ｘ１が、順次分割記録されている。
同様に、単位線状画像記録部２Ｍ８は、右隣に配置された単位レンチキュラレンズＬ９の真裏の範囲にまで、線状画像Ｅ８よりも視差角度がより大きい平行投影画像を分割した線状画像Ｆ８，Ｇ８，Ｈ８が、順次分割記録されている。
このように、記録部を設けることにより、立体印刷物２は、隣の単位線状画像記録部及び単位レンチキュラレンズの情報が視点に写ってしまうことを避けることができるので、画像のちらつきや重なりが起こらず、また、シート端である単位線状画像記録部２Ｍ０，２Ｍ９からも正しい光線情報を得ることができる。
（なお、本実施例では、作製され平行投影画像に含まれる線状画像の中には、例えば、線状画像Ｃ０，Ｃ９のように、立体印刷物２に記録されないものもある。）。
【００２７】
以上説明したように、本実施例の立体印刷物２は、単位線状画像記録部（２Ｍ１等）が、観察位置の範囲を満足する観察記録範囲（Ｄ２等）に設けられ、観察記録範囲と、隣に配置された単位レンチキュラレンズ（Ｌ０等）のレンズ幅（Ｒ０等）内の記録範囲とが重複する範囲の分割記録部においては、視差角度がより大きい平行投影画像を分割した線状画像（Ｚ１，Ｙ１，Ｘ１等）が、順次分割記録されている。
これにより、各単位線状画像記録部Ｌ１〜Ｌ８の隣の単位レンチキュラレンズの真裏の記録部が観察されてしまう場合でも、忠実に立体情報を表現することができ、被記録体Ｏを、より実物らしく表現することができる。
【実施例３】
【００２８】
次に、本発明を適用した立体印刷物（立体画像記録体）の実施例３について説明する。
実施例３の立体印刷物は、実施例１及び実施例２が線状画像として平行投影画像を分割して用いるのに対し、線状画像として指向性画像を分割して用いるものである。
以下、指向性画像について説明する。
図８は、被記録体Ｏの正面からの指向性画像（図５に示す方向Ｃからの画像に相当）を作製する方法を示す図であり、図８（ａ）は、被記録体Ｏの平面図（上面図）、図８（ｂ）は、被記録体Ｏを左側面から示す図８（ｃ）は、作製された指向性画像を示す図である。
図８（ａ）に示すように、指向性画像は、平面図において、被記録体Ｏが投影面の方向（所定の方向）に向かって平行射影された二次元画像である。一方、図８（ｂ）に示すように、被記録体Ｏ側面図においては、投影中心に向かって集中するように、投影面に透視投影される。従って、図８（ｃ）に示すように、作製された指向性画像は、幅方向の長さ（長さｄ参照）が維持されるのに対して、垂直方向の長さは、実際に見える長さに近いものになる。
図９は、正面からの視差角度が約４５度（図５に示す方向Ｊからの画像に相当）である被記録体Ｏの指向性画像を、同様な方法により作製した例である。
指向性画像は、以上のように作製されるので、垂直方向が遠近感のある画像となる。
【００２９】
以上説明したように、実施例３の立体印刷物は、指向性画像を分割して線状画像に用い、さらに、これら線状画像を合成して立体画像を得るので、被記録体Ｏをより立体的に再現することができる。
【００３０】
（変形例）
以上説明した実施例に限定されることなく、種々の変形や変更が可能であって、それらも本発明の均等の範囲内である。
（１）本実施例において、被記録体の視差画像は、１方向（左右方向）のみである例を示したが、これに限定されない。被記録体の視差画像は、複数の方向でもよく、例えば、左右方向に上下方向を加えた２方向にしてもよい。これにより、被記録体のより詳細な光線情報の記録、再現をすることができる。この場合、レンチキュラレンズは、レンズを平面状に多数並べた集合レンズ（いわゆるハエの目レンズと呼ばれるレンズアレイ）を使用すればよい。
【図面の簡単な説明】
【００３１】
【図１】本発明による立体印刷物の実施例１を説明するための図である。
【図２】実施例１の立体印刷物の断面図である。
【図３】実施例１の被記録体の平行投影画像及び立体印刷物の断面図である。
【図４】実施例１の立体印刷物１を観察する状態を示す図である。
【図５】本発明による実施例２の平行投影画像の方向を示す図である。
【図６】実施例２の平行投影画像である。
【図７】実施例２の立体印刷物の断面図である。
【図８】本発明による実施例３の指向性画像を示す図である。
【図９】実施例３の指向性画像を示す図である。
【図１０】従来の立体印刷物の断面図である。
【符号の説明】
【００３２】
１，２    立体印刷物
Ｌ，２Ｌ    レンチキュラシート
Ｍ，２Ｍ    線状画像記録体
Ｍ１〜Ｍ８，２Ｍ０〜２Ｍ９    単位線状画像記録部
Ｌ０〜Ｌ９    単位レンチキュラレンズ
Ａ１〜Ａ８、・・・、Ｅ１〜Ｅ８    線状画像
Ｏ    被記録体
【図１】
2007147737.tif 000003
【図２】
2007147737.tif 000004
【図３】
2007147737.tif 000005
【図４】
2007147737.tif 000006
【図５】
2007147737.tif 000007
【図６】
2007147737.tif 000008
【図７】
2007147737.tif 000009
【図８】
2007147737.tif 000010
【図９】
2007147737.tif 000011
【図１０】
2007147737.tif 000012